(57)【要約】【課題】  容易に精度良く着衣量を推定することができる着衣量推定方法ならびにそれを用いた空調制御方法、空調システム、携帯端末、および情報保持装置を提供する。【解決手段】  着衣量推定方法は、衣服関連情報を読み取るステップと、全体着衣量を推定するステップとを含む。衣服関連情報を読み取るステップは、情報保持装置３から衣服に関する衣服関連情報をそれぞれ読み取る。情報保持装置３は、居室内の人が着用する衣服それぞれの単品に取り付けられている。全体着衣量を推定するステップは、複数の衣服関連情報に基づいて、衣服すべてに関する全体着衣量を推定する。【選択図】      図２
2006349240.tif 000002
【特許請求の範囲】
【請求項１】
居室内の人が着用する衣服それぞれの単品に取り付けられた情報保持装置（３）から衣服に関する衣服関連情報をそれぞれ読み取るステップと、
複数の前記衣服関連情報に基づいて、前記人の全身または所定の部位に着用された前記衣服に関する着衣量を推定するステップと、
を含む、着衣量推定方法。
【請求項２】
前記衣服関連情報は、少なくとも前記衣服それぞれの単品に関する単品着衣量を含む、
請求項１に記載の着衣量推定方法。
【請求項３】
前記衣服関連情報は、少なくとも衣服の種別を含む、
請求項１に記載の着衣量推定方法。
【請求項４】
前記衣服関連情報は、少なくとも衣服を識別するための衣服識別情報を含む、
請求項１に記載の着衣量推定方法。
【請求項５】
請求項１に記載の着衣量推定方法を用いた空調制御方法であって、
前記着衣量に基づいて、快適性指標を算出するステップと、
前記快適性指標が最適値になるように空調設備の制御を行うステップと、
を含む、空調制御方法。
【請求項６】
居室内の人が着用する衣服それぞれの単品に取り付けられた情報保持装置（３）から衣服に関する衣服関連情報をそれぞれ読み取る衣服関連情報読み取り部（４、１９、２３）と、
複数の前記衣服関連情報に基づいて、前記人の全身または所定の部位に着用された前記衣服に関する着衣量を推定する着衣量推定部（５）と、
前記着衣量に基づいて、快適性指標を算出する快適性指標算出部（６）と、
前記快適性指標が最適値になるように空調設備の制御を行う空調制御部（７）と、
を備えている、空調システム（１）。
【請求項７】
前記着衣量推定部（５）は、前記部位ごとの前記着衣量を推定し、
前記快適性指標算出部（６）は、前記部位ごとの着衣量に基づいて、前記快適性指標を算出し、
前記空調制御部（７）は、前記快適性指標が最適値になるように、前記空調設備の制御を行う、
請求項６に記載の空調システム（１）。
【請求項８】
前記着衣量推定部（５）は、複数の前記人についての前記着衣量から前記居室全体についての前記着衣量を推定し、
前記快適性指標算出部（６）は、前記居室全体についての着衣量に基づいて、前記快適性指標を算出し、
前記空調制御部（７）は、前記快適性指標が最適値になるように、前記居室内における前記空調設備の一括制御を行う、
請求項６に記載の空調システム（１）。
【請求項９】
前記衣服関連情報読み取り部（４）は、前記居室の出入り口付近に設けられている、
請求項６に記載の空調システム（１）。
【請求項１０】
前記衣服関連情報読み取り部（４）は、前記居室内の人の作業領域付近に設けられている、
請求項６に記載の空調システム（１）。
【請求項１１】
前記着衣量推定部（５）は、複数の前記人についての前記着衣量から前記居室全体についての前記着衣量を推定し、
前記居室全体についての前記着衣量と異なる前記着衣量を有する人に対して、快適環境を実現するための情報を提供する機能をさらに有する、
請求項６に記載の空調システム（１）。
【請求項１２】
前記居室の内外における室内外環境の履歴に関する室内外環境履歴情報と前記着衣量の履歴に関する着衣量履歴情報とを記憶し、前記室内外環境履歴情報および前記着衣量履歴情報に基づいて、前記着衣量を有する人の体調に関する情報を管理する機能をさらに有する、
請求項６に記載の空調システム（１）。
【請求項１３】
現時点における前記着衣量を変更することによる省エネルギー効果を推定し、前記省エネルギー効果がある場合に前記空調設備の設定条件および前記省エネルギーに関する情報を提供する機能をさらに有する、
請求項６に記載の空調システム（１）。
【請求項１４】
前記衣服関連情報は、少なくとも前記衣服それぞれの単品に関する単品着衣量を含む、
請求項６に記載の空調システム（１）。
【請求項１５】
前記衣服関連情報は、少なくとも衣服の種別を含み、
前記衣服の種別に対応した前記衣服それぞれの単品に関する単品着衣量を記憶する第１着衣量データベース（１４）をさらに備えている、
請求項６に記載の空調システム（１）。
【請求項１６】
前記衣服関連情報は、少なくとも衣服を識別するための衣服識別情報を含み、
前記衣服識別情報に対応した前記衣服それぞれの単品に関する単品着衣量を記憶する第２着衣量データベース（１５）をさらに備えている、
請求項６に記載の空調システム（１）。
【請求項１７】
前記第２着衣量データベース（１５）から読み出した情報、または前記第２着衣量データベース（１５）からの読出し頻度の高い情報を保持する第３着衣量データベース（１７）をさらに備えている、
請求項１６に記載の空調システム（１）。
【請求項１８】
居室内の人が着用する衣服それぞれの単品に取り付けられた情報保持装置（３）から衣服に関する衣服関連情報をそれぞれ読み取る衣服関連情報読み取り部（１９）と、
前記衣服関連情報を、複数の前記衣服関連情報に基づいて前記人の全身または所定の部位に着用された前記衣服に関する着衣量を推定する着衣量推定部（５）に接続された受信部（２２）へ送信する第１送信部（２０）と、
を備えている、携帯端末（２１）。
【請求項１９】
居室内の人が着用する衣服それぞれの単品に取り付けられた情報保持装置（３）から衣服に関する衣服関連情報をそれぞれ読み取る衣服関連情報読み取り部（２３）と、
前記衣服関連情報および前記人が居る位置に関する位置情報を、複数の前記衣服関連情報に基づいて前記人の全身または所定の部位に着用された前記衣服に関する着衣量を推定する着衣量推定部（５）に接続された遠隔監視装置（１６）へ送信する第２送信部（２４）と、
を備えている、携帯端末（２５）。
【請求項２０】
居室内の人が着用する衣服それぞれの単品に取り付けられ、前記衣服に関する衣服関連情報を記憶する情報保持装置（３）。
【請求項２１】
前記衣服関連情報を記憶するＩＣタグを備えている、
請求項２０に記載の情報保持装置（３）。
【請求項２２】
前記衣服関連情報に対応するバーコードを備えている、
請求項２０に記載の情報保持装置。
【発明の詳細な説明】
【技術分野】
【０００１】
本発明は、着衣量推定方法ならびにそれを用いた空調制御方法、空調システム、携帯端末、および情報保持装置に関する。
【背景技術】
【０００２】
快適な空気調和を実現する空調制御の方式として、快適性指標であるPMV(Predicted Mean vote:予測平均申告)に基づいて空調制御を行う各種の方式が提案または実現されている。ＰＭＶ値を求めるための方程式の変数は、空気温度、湿度、輻射温度、および気流速度を含む環境要因に関する変数と、人の着衣量および活動量を含む人的要因に関する変数とを含む。環境要因に関する変数を実際に検知手段によって計測することは可能であるが、人の着衣量や活動量を推定することは難しい。しかも、着衣量の推定は、個人差または季節の変化などの原因でとくに難しい。
【０００３】
そこで、従来、着衣量の設定または推定の方法としては以下の様な方法が考案されている。
特許文献１記載の空調機の制御装置では、在室者が自分で着衣量を申告することにより、着衣量が設定される。
また、特許文献２の空気調和機では、年間における日時ごとの平均気温・天候に対応する着衣量を予め記憶したカレンダー情報に基づいて推定する。
【特許文献１】特許第２８４６４３７号公報
【特許文献２】特開平６−１５９７６５号公報
【発明の開示】
【発明が解決しようとする課題】
【０００４】
しかし、従来の着衣量の設定または推定方法には例えば下記のような問題があり、いずれも容易に精度良く着衣量を推定することは困難である。
特許文献１記載の着衣量を自己申告によって設定する方法では、在室者がいちいち自分で着衣量を入力する作業が必要であり、面倒である。また、会社の事務所などでは従業員に着衣量を入力してもらうことができたとしても、店舗など不特定多数の顧客が集まるような場所では、入力をしてもらうことが困難である。
【０００５】
また、特許文献２記載の着衣量推定方法では、日々の気温・天候などは毎年一定ではないため、カレンダー情報における日時ごとの平均気温・天候などが実際の気温・天候と異なる場合は、着衣量の推定誤差が大きくなる。
本発明の課題は、容易に精度良く着衣量を推定することができる着衣量推定方法ならびにそれを用いた空調制御方法、空調システム、携帯端末、および情報保持装置を提供することである。
【課題を解決するための手段】
【０００６】
第１発明の着衣量推定方法は、衣服関連情報を読み取るステップと、着衣量を推定するステップとを含む。衣服関連情報を読み取るステップは、情報保持装置から衣服に関する衣服関連情報をそれぞれ読み取る。情報保持装置は、居室内の人が着用する衣服それぞれの単品に取り付けられている。着衣量を推定するステップは、複数の衣服関連情報に基づいて、人の全身または所定の部位に着用された衣服に関する着衣量を推定する。
ここでは、居室内の人が着用する衣服それぞれの単品に取り付けられている情報保持装置から衣服に関する衣服関連情報を読み取り、複数の衣服関連情報に基づいて着衣量を推定する。これにより、気候変動や個人差などの影響を受けることなく、着衣量を容易に精度良く推定することが可能である。
【０００７】
第２発明の着衣量推定方法は、第１発明の着衣量推定方法であって、衣服関連情報は、少なくとも単品着衣量を含む。単品着衣量は、衣服それぞれの単品に関する。
ここでは、衣服関連情報が少なくとも単品着衣量を含むので、複数の単品着衣量の情報に基づいて着衣量を推定することが可能である。
【０００８】
第３発明の着衣量推定方法は、第１発明の着衣量推定方法であって、衣服関連情報は、少なくとも衣服の種別を含む。
ここでは、衣服関連情報が少なくとも衣服の種別を含むので、複数の衣服の種別の情報に基づいて着衣量を推定することが可能である。
【０００９】
第４発明の着衣量推定方法は、第１発明の着衣量推定方法であって、衣服関連情報は、少なくとも衣服を識別するための衣服識別情報を含む。
ここでは、衣服関連情報が少なくとも衣服を識別するための衣服識別情報を含むので、複数の衣服識別情報の情報に基づいて着衣量を推定することが可能である。
【００１０】
第５発明の空調制御方法は、第１発明の着衣量推定方法を用いた空調制御方法である。空調制御方法は、着衣量に基づいて、快適性指標を算出するステップと、快適性指標が最適値になるように空調設備の制御を行うステップとを含む。
ここでは、第１発明の着衣量推定方法を用いて推定された着衣量に基づいて快適性指標を算出し、快適性指標が最適値になるように空調設備の制御を行うので、快適な空調を実現することが可能である。
【００１１】
第６発明の空調制御システムは、衣服関連情報読み取り部と、着衣量推定部と、快適性指標算出部と、空調制御部とを備えている。衣服関連情報読み取り部は、情報保持装置から衣服に関する衣服関連情報をそれぞれ読み取る。情報保持装置は、居室内の人が着用する衣服それぞれの単品に取り付けられている。着衣量推定部は、複数の衣服関連情報に基づいて、人の全身または所定の部位に着用された衣服に関する着衣量を推定する。快適性指標算出部は、着衣量に基づいて、快適性指標を算出する。空調制御部は、快適性指標が最適値になるように空調設備の制御を行う。
ここでは、衣服関連情報読み取り部が居室内の人が着用する衣服それぞれの単品に取り付けられている情報保持装置から衣服に関する衣服関連情報をそれぞれ読み取り、着衣量推定部が複数の衣服関連情報に基づいて人の全身または所定の部位に着用された衣服に関する着衣量を推定する。これによって、気候変動や個人差などの影響を受けることなく、着衣量を容易に精度良く推定することが可能である。さらに、快適性指標算出部が着衣量に基づいて快適性指標を算出し、空調制御部が快適性指標が最適値になるように空調設備の制御を行うことによって、快適な空調を実現することが可能である。
【００１２】
第７発明の空調制御システムは、第６発明の空調制御システムであって、着衣量推定部は、部位ごとの着衣量を推定する。快適性指標算出部は、部位ごとの着衣量に基づいて、快適性指標を算出する。空調制御部は、快適性指標が最適値になるように、空調設備の制御を行う。
ここでは、着衣量推定部が部位ごとの着衣量を推定し、空調制御部が部位に最適になるような空調制御をすることが可能である。
【００１３】
第８発明の空調制御システムは、第６発明の空調制御システムであって、着衣量推定部は、複数の人についての着衣量から居室全体についての着衣量を推定する。快適性指標算出部は、居室全体についての着衣量に基づいて、快適性指標を算出する。空調制御部は、快適性指標が最適値になるように、居室内における空調設備の一括制御を行う。
ここでは、着衣量推定部が居室全体についての着衣量を推定し、空調制御部が居室内の空調設備を一括制御することが可能である。
【００１４】
第９発明の空調制御システムは、第６発明の空調制御システムであって、衣服関連情報読み取り部は、居室の出入り口付近に設けられている。
ここでは、衣服関連情報読み取り部が居室の出入り口付近に設けられているので、居室を出入りする人のそれぞれの着衣量を確実に推定することが可能である。
【００１５】
第１０発明の空調制御システムは、第６発明の空調制御システムであって、衣服関連情報読み取り部は、居室内の人の作業領域付近に設けられている。
ここでは、衣服関連情報読み取り部が居室内の人の作業領域付近に設けられているので、居室に入った後、衣服を着脱することによって着衣量が変化した場合でも、変化後の着衣量を検出することが可能である。
【００１６】
第１１発明の空調制御システムは、第６発明の空調制御システムであって、着衣量推定部は、複数の人についての着衣量から居室全体についての着衣量を推定する。このシステムは、居室全体についての着衣量と異なる着衣量を有する人に対して、快適環境を実現するための情報を提供する機能をさらに有する。
ここでは、居室全体についての着衣量と異なる着衣量を有する人に対して、快適環境を実現するための情報を提供することが可能である。
【００１７】
第１２発明の空調制御システムは、第６発明の空調制御システムであって、居室の内外における室内外環境の履歴に関する室内外環境履歴情報と着衣量の履歴に関する着衣量履歴情報とを記憶し、室内外環境履歴情報および着衣量履歴情報に基づいて、着衣量を有する人の体調に関する情報を管理する機能をさらに有する。
ここでは、室内外環境履歴情報および着衣量履歴情報に基づいて、着衣量を有する人の体調に関する情報を管理することが可能である。
【００１８】
第１３発明の空調制御システムは、第６発明の空調制御システムであって、現時点における着衣量を変更することによる省エネルギー効果を推定し、省エネルギー効果がある場合に空調設備の設定条件および省エネルギーに関する情報を提供する機能をさらに有する。
ここでは、現時点における着衣量を変更することによる省エネルギー効果がある場合に空調設備の設定条件および省エネルギーに関する情報を提供することが可能である。
【００１９】
第１４発明の空調制御システムは、第６発明の空調制御システムであって、衣服関連情報は、少なくとも単品着衣量を含む。単品着衣量は、衣服それぞれの単品に関する。
ここでは、衣服関連情報が少なくとも単品着衣量を含むので、複数の単品着衣量の情報に基づいて着衣量を推定することが可能である。
【００２０】
第１５発明の空調制御システムは、第６発明の空調制御システムであって、衣服関連情報は、少なくとも衣服の種別を含む。空調制御システムは、第１着衣量データベースをさらに備えている。第１着衣量データベースは、単品着衣量を記憶する。単品着衣量は、衣服の種別に対応している。単品着衣量は、衣服それぞれの単品に関する。
ここでは、衣服関連情報が少なくとも衣服の種別を含むので、複数の衣服の種別の情報に基づいて着衣量を推定することが可能である。また、衣服の種別に対応する単品着衣量を記憶する第１着衣量データベースを備えているので、衣服の種別に対応する単品着衣量に関する情報を集中して管理することが可能である。
【００２１】
第１６発明の空調制御システムは、第６発明の空調制御システムであって、衣服関連情報は、少なくとも衣服を識別するための衣服識別情報を含む。空調制御システムは、第２着衣量データベースをさらに備えている。第２着衣量データベースは、単品着衣量を記憶する。単品着衣量は、衣服識別情報に対応している。単品着衣量は、衣服それぞれの単品に関する。
ここでは、衣服関連情報が少なくとも衣服を識別するための衣服識別情報を含むので、複数の衣服識別情報の情報に基づいて着衣量を推定することが可能である。また、衣服識別情報に対応する単品着衣量を記憶する第２着衣量データベースを備えているので、衣服識別情報に対応する単品着衣量に関する情報を集中して管理することが可能である。
【００２２】
第１７発明の空調制御システムは、第１６発明の空調制御システムであって、第３着衣量データベースをさらに備えている。第３着衣量データベースは、第２着衣量データベースから読み出した情報、または第２着衣量データベースからの読出し頻度の高い情報を保持する。
ここでは、第２着衣量データベースとは別のデータベースである第３着衣量データベースによって、第２着衣量データベースから読み出した情報、または第２着衣量データベースからの読出し頻度の高い情報を保持することが可能である。
【００２３】
第１８発明の携帯端末は、衣服関連情報読み取り部と、第１送信部とを備えている。衣服関連情報読み取り部は、情報保持装置から衣服に関する衣服関連情報をそれぞれ読み取る。情報保持装置は、居室内の人が着用する衣服それぞれの単品に取り付けられている。第１送信部は、衣服関連情報を受信部へ送信する。受信部は、着衣量推定部に接続されている。着衣量推定部は、複数の衣服関連情報に基づいて人の全身または所定の部位に着用された衣服に関する着衣量を推定する。
ここでは、携帯端末が衣服関連情報読み取り部および第１送信部を備えているので、情報保持装置から読み取った衣服関連情報を受信部を介して着衣量推定部へ送信することが可能である。
【００２４】
第１９発明の携帯端末は、衣服関連情報読み取り部と、第２送信部とを備えている。衣服関連情報読み取り部は、情報保持装置から衣服に関する衣服関連情報をそれぞれ読み取る。情報保持装置は、居室内の人が着用する衣服それぞれの単品に取り付けられている。第２送信部は、衣服関連情報および人が居る位置に関する位置情報を遠隔監視装置へ送信する。遠隔監視装置は、着衣量推定部に接続されている。着衣量推定部は、複数の衣服関連情報に基づいて人の全身または所定の部位に着用された衣服に関する着衣量を推定する。
ここでは、携帯端末が衣服関連情報読み取り部および第２送信部を備えているので、情報保持装置から読み取った衣服関連情報を遠隔監視装置を介して着衣量推定部へ送信することが可能である。
【００２５】
第２０発明の情報保持装置は、居室内の人が着用する衣服それぞれの単品に取り付けられている。情報保持装置は、衣服に関する衣服関連情報を記憶する。
ここでは、居室内の人が着用する衣服それぞれの単品に取り付けられている情報保持装置が衣服に関する衣服関連情報を記憶するので、情報保持装置から衣服関連情報を読み取ることによって、衣服関連情報を着衣量の推定に用いることが可能になる。
【００２６】
第２１発明の情報保持装置は、第２０発明の情報保持装置であって、ＩＣタグを備えている。ＩＣタグは、衣服関連情報を記憶する。
ここでは、情報保持装置が衣服関連情報を記憶するＩＣタグを備えているので、ＩＣタグに記憶された衣服関連情報を読み取ることによって、衣服関連情報を着衣量の推定に用いることが可能になる。
【００２７】
第２２発明の情報保持装置は、第２０発明の情報保持装置であって、バーコードを備えている。バーコードは、衣服関連情報に対応する。
ここでは、情報保持装置が衣服関連情報に対応するバーコードを備えているので、バーコードから衣服関連情報を読み取ることによって、衣服関連情報を着衣量の推定に用いることが可能になる。
【発明の効果】
【００２８】
第１発明によれば、気候変動や個人差などの影響を受けることなく、着衣量を容易に精度良く推定することができる。
第２発明によれば、複数の単品着衣量の情報に基づいて着衣量を推定することができる。
第３発明によれば、複数の衣服の種別の情報に基づいて着衣量を推定することができる。
【００２９】
第４発明によれば、複数の衣服識別情報の情報に基づいて着衣量を推定することができる。
第５発明によれば、推定された着衣量に基づいて快適な空調を実現することができる。
第６発明によれば、気候変動や個人差などの影響を受けることなく、着衣量を容易に精度良く推定することができる。さらに、着衣量に基づいて快適な空調を実現することができる。
【００３０】
第７発明によれば、居室内の人の部位に最適になるような空調制御をすることができる。
第８発明によれば、居室全体についての着衣量を推定して居室内の空調設備を一括制御することができる。
第９発明によれば、居室を出入りする人のそれぞれの着衣量を確実に推定することができる。
【００３１】
第１０発明によれば、居室に入った後に着衣量が変化した場合でも変化後の着衣量を検出することができる。
第１１発明によれば、居室全体についての着衣量と異なる着衣量を有する人に対して、快適環境を実現するための情報を提供することができる。
第１２発明によれば、着衣量を有する人の体調に関する情報を管理することができる。
【００３２】
第１３発明によれば、着衣量変更による省エネルギー効果がある場合に空調設備の設定条件および省エネルギーに関する情報を提供することができる。
第１４発明によれば、複数の単品着衣量の情報に基づいて着衣量を推定することができる。
第１５発明によれば、複数の衣服の種別の情報に基づいて着衣量を推定することができる。また、衣服の種別に対応する単品着衣量に関する情報を集中して管理することができる。
【００３３】
第１６発明によれば、複数の衣服識別情報の情報に基づいて着衣量を推定することができる。また、衣服識別情報に対応する単品着衣量に関する情報を集中して管理することができる。
第１７発明によれば、第２着衣量データベースとは別のデータベースによって、第２着衣量データベースから読み出した情報または読出し頻度の高い情報を保持することができる。
【００３４】
第１８発明によれば、情報保持装置から読み取った衣服関連情報を受信部を介して着衣量推定部へ送信することができる。
第１９発明によれば、情報保持装置から読み取った衣服関連情報を遠隔監視装置を介して着衣量推定部へ送信することができる。
第２０発明によれば、情報保持装置から衣服関連情報を読み取ることによって、衣服関連情報を着衣量の推定に用いることができる。
【００３５】
第２１発明によれば、ＩＣタグに記憶された衣服関連情報を読み取ることによって、衣服関連情報を着衣量の推定に用いることができる。
第２２発明によれば、バーコードから衣服関連情報を読み取ることによって、衣服関連情報を着衣量の推定に用いることができる。
【発明を実施するための最良の形態】
【００３６】
つぎに、本発明の着衣量推定方法ならびにそれを用いた空調制御方法、空調システム、携帯端末、および情報保持装置に係わる実施形態を図面を参照しながら説明する。
〔第１実施形態〕
＜空調システムの基本構成＞
図１に示される空調システム１は、空調制御用のコントローラ２と、無線ＩＣタグ３と、無線ＩＣタグ情報読み取り部４と、各種情報検知部８と、空調設備１００とを備えている。
【００３７】
空調設備１００は、空気調和機の室内機であり、空調空間内に設置されている。空調設備１００は、コントローラ２に接続されている。
無線ＩＣタグ３は、衣服それぞれの単品に取り付けられ、衣服それぞれの単品に関する衣服関連情報を記憶している。衣服関連情報は、衣服それぞれの単品に関する単品着衣量である。
【００３８】
単品着衣量は、いわゆる、クロ値（ｃｌｏ）で表される。「ｃｌｏ」は、着衣量の単位であり、１ｃｌｏは、湿度５０％、風速１０ｃｍ／ｓ、気温２１．２０℃の大気中で、いすに腰かけて安静にしている被服者が快適に感じ、かつ被服者の平均皮膚温度が３３℃を維持できるのに必要な衣服の熱絶縁値を表す（１ｃｌｏ＝０．１５５ｍ℃／Ｗ）。
無線ＩＣタグ３が取り付けられる対象である衣服には、シャツ、ズボン、パンツ、靴下、またはネクタイなどの一般的な衣料品の他、手袋、帽子、マフラーなどの身体に装着することができるすべての物が含まれる。
【００３９】
無線ＩＣタグ３は、衣服の外表面または内表面に付着するように取り付けられる。なお、無線ＩＣタグ３は、衣服の内部に織り込まれたり、または衣服に設けられた袋状の部分に収納されることによっても、衣服に取付可能である。
無線ＩＣタグ情報読み取り部４は、無線ＩＣタグ３から衣服関連情報である単品着衣量を読み取る。無線ＩＣタグ情報読み取り部４は、無線信号を用いて、非接触の状態で無線ＩＣタグ３から単品着衣量を読み取ることができる。無線ＩＣタグ情報読み取り部４は、コントローラ２に接続されている。また、無線ＩＣタグ情報読み取り部４は、後述する実施形態４または５に示されるように、空調空間の入口または、空調空間内における人が居る位置の近傍などに配置される。
【００４０】
各種情報検知部８は、快適性指標（ＰＭＶ値）を算出するために必要な変数である着衣量以外の各種情報を検知するための検知部である。各種情報検知部８は、空気温度検知部９と、湿度検知部１０と、輻射温度検知部１１と、気流速度検知部１２と、活動量検知／推定部１３とを備えている。空気温度検知部９は、空調空間内の空気の温度を検知する。湿度検知部１０は、空調空間内の湿度を検知する。輻射温度検知部１１は、空調空間内の輻射温度を検知する。気流速度検知部１２は、空調空間内の気流の速度を検知する。活動量検知／推定部１３は、空調空間内に居る人の活動量を検知または推定する。活動量は、従来公知の方法で検知または推定され、例えば、空調空間の種類または平均在室人数等に応じて予め設定されたり、または空調空間内に居る人の移動量に基づいて推定される。
【００４１】
コントローラ２については、以下の項目でさらに詳細に説明する。
＜コントローラ２の構成＞
コントローラ２は、全体着衣量推定部５と、快適性指標算出部６と、空調設備制御部７とを備えている。
全体着衣量推定部５は、無線ＩＣタグ情報読み取り部４によって無線ＩＣタグ３から読み取られた複数の単品着衣量に基づいて、衣服すべてに関する全体着衣量を推定する。
【００４２】
快適性指標算出部６は、各種情報検知部８によって検知された空気温度、湿度、輻射温度、気流速度、ならびに活動量と、全体着衣量推定部５によって推定された全体着衣量とから、快適性指標（ＰＭＶ値）（図３のグラフ参照）を算出する。
ＰＭＶ値は、空気温度、湿度、輻射温度、気流速度の4つの環境要因に、着衣量、活動量の2つの人間側の要因も考慮して、人体と環境の熱平衡式であるＦａｎｇｅｒのＰＭＶ方程式で算出される値である。快適性指標（ＰＭＶ値）は、ＩＳＯ規格７７３０において規定されている。
【００４３】
ＰＭＶ値は、−３から３までの整数値からなり、−３：寒い、−２：涼しい、−1＝やや涼しい、０：どちらでもない、十1＝やや暖かい、＋２：暖かい、；３：暑い、の意味を有する。ＰＭＶ値を０にすることができれば、９５％の人が快適と感じるようになる（図３のグラフ参照）。
空調設備制御部７は、快適性指標算出部６によって算出された快適性指標に基づいて、コントローラ２によって集中管理される空調空間内の空気について空気調和をするための空調設備１００の運転を制御する。具体的には、空調設備制御部７は、快適性指標においてＰＭＶ値が０になるように、空調設備１００の運転を制御する。
【００４４】
以上のように、空調システム１では、衣服それぞれに取り付けられた無線ＩＣタグ３に衣服それぞれの単品に関する単品着衣量が記憶されている。単品着衣量は、空調空間の内部または入口に設けられた無線ＩＣタグ情報読み取り部４によって読み取られる。全体着衣量推定部５は、読み取られた複数の単品着衣量に基づいて全体着衣量を推定する。快適性指標算出部６は、その全体着衣量に基づいて快適性指標を算出する。空調設備制御部７は、快適性指標が最適値になるように空調設備１００の制御を行うことにより、快適な空調を実現している。
【００４５】
＜着衣量推定方法の手順＞
つぎに、第１実施形態における無線ＩＣタグ３の単品着衣量から全体着衣量を推定する着衣量推定方法を説明する。
I．まず、図２に示されるように、衣服それぞれに取り付ける無線ＩＣタグ３に単品着衣量に関する単品着衣量情報そのものが事前に記憶される。単品着衣量は、衣服それぞれの製造業者によって無線ＩＣタグ３に記憶される。
【００４６】
図２において、制服上着ＷＳに取り付けられた無線ＩＣタグ３には、制服上着ＷＳに関する単品着衣量（０．２ｃｌｏ）が記憶され、制服ズボンＷＰに取り付けられた無線ＩＣタグ３には、制服ズボンＷＰに関する単品着衣量（０．３ｃｌｏ）が記憶されている。なお、図示されていないが、その他の衣服（例えば、アンダーパンツ、靴下、ネクタイなど）についても、衣服それぞれの単品に関する単品着衣量が記憶された無線ＩＣタグ３が取り付けられている。
【００４７】
II．ついで、無線ＩＣタグ情報読み取り部４によって、個人の衣服それぞれの単品に関する単品着衣量が無線ＩＣタグ３から読み取られる。
III．読み取られた単品着衣量に関する情報から、全体着衣量推定部５によって、全体着衣量が推定される。
例えば、アンダーシャツ、カッターシャツならびに制服上着ＷＳの単品着衣量情報に基づいて、上半身に関する上半身着衣量が推定される。一方、アンダーパンツならびに制服ズボンＷＰの単品着衣量情報に基づいて、下半身に関する下半身着衣量が推定される。そののち、上半身着衣量および下半身着衣量の平均値を算出することによって、全体着衣量が算出される。
【００４８】
＜第１実施形態の特徴＞
（１）
以上のように、第１実施形態の空調システム１では、衣服それぞれに取り付けられた無線ＩＣタグ３に衣服それぞれの単品に関する単品着衣量が記憶されている。単品着衣量は、無線ＩＣタグ情報読み取り部４によって読み取られる。全体着衣量推定部５は、読み取られた複数の単品着衣量に基づいて全体着衣量を推定する。快適性指標算出部６は、その全体着衣量に基づいて快適性指標を算出する。空調設備制御部７は、快適性指標が最適値になるように空調設備１００の制御を行う。これにより、気候変動や個人差などの影響を受けることなく、全体着衣量を容易に精度良く推定することができ、快適な空調を実現することが可能である。
【００４９】
（２）
第１実施形態の空調システム１では、衣服の商品管理のために利用可能な無線ＩＣタグ３に、衣服それぞれの単品に関する単品着衣量に関する情報を記憶させることにより、個人の全体着衣量を容易に精度良く検出することが可能である。
しかも、無線ＩＣタグ３には、商品管理用のデータをさらに記憶させておくことができる。これによって、商品として流通する衣服の流通管理の効率性を向上させることができ、在庫管理の円滑化ならびに効率化を目指すことが可能になる。
【００５０】
（３）
第１実施形態では、衣服それぞれに取り付けられた無線ＩＣタグ３に衣服それぞれの単品に関する単品着衣量が記憶されているので、複数の単品着衣量に基づいて、衣服すべてに関する全体着衣量を容易に精度良く推定することが可能である。
【００５１】
＜第１実施形態の変形例＞
（Ａ）
第１実施形態では、衣服それぞれの単品に取り付けられた情報保持装置として、非接触式の無線ＩＣタグ３を例にあげて説明したが、本発明はこれに限定されるものではなく、他の情報保持装置として、接触式ＩＣタグを用いてもよい。接触式ＩＣタグの場合、接触式ＩＣタグを読取り装置に接触させることによって、単品着衣量からなる衣服関連情報をより確実に読み取ることが可能である。
（Ｂ）
また、無線ＩＣタグ３などのＩＣチップに情報を保持させる情報保持装置の代わりに、光学的に情報を保持することができる情報保持装置、例えばバーコードを採用してもよく、この場合も、単品着衣量からなる衣服関連情報をバーコードの形態で保持しておくことも可能である。この場合、バーコードリーダを用いて単品着衣量を読み取ることが可能である。バーコードには、一次元バーコードだけでなく、二次元バーコード（いわゆるＱＲコード）なども含まれるが、あらゆる形態のバーコードにも単品着衣量からなる衣服関連情報を保持することが可能である。
【００５２】
（Ｃ）
さらに、第１実施形態の空調システム１は、全体着衣量推定部５によって、個人ごとの全体着衣量を推定するが、変形例として、全体着衣量推定部５が複数の人についての着衣量から空調空間全体についての着衣量を推定し、快適性指標算出部６が空調空間全体についての着衣量に基づいて快適性指標を算出し、空調制御部７が快適性指標が最適値になるように空調空間内における空調設備の一括制御を行うようにしてもよい。これにより、居室全体についての着衣量を推定して空調空間内の空調設備を一括制御することが可能になる。
【００５３】
（Ｄ）
さらに、第１実施形態の空調システム１は、空調空間全体についての着衣量と異なる着衣量を有する人に対して、快適環境を実現するための情報を提供する機能を有してもよい。例えば、全体着衣量推定部５によって、個人ごとの全体着衣量に基づいて空調空間内に存在する人間全てについての平均全体着衣量を算出するようにする。平均全体着衣量を算出する場合、例えば、複数の全体着衣量について単純平均を求めることによって、平均全体着衣量を算出する。これにより、空調空間全体の平均全体着衣量よりも少ない全体着衣量に相当する衣服を装着している人に対して、『現在の全体着衣量は、快適制御に対応する平均全体着衣量よりも少ないです。衣服をもう一枚着た方がよいですよ』等のアドバイスに関する情報を、空調空間内部に設置されたパソコンのモニタ画面等に表示するなどして、伝達するようにしてもよい。
【００５４】
（Ｅ）
また、第１実施形態の空調システム１は、全体着衣量推定部５によって、個人ごとの全体着衣量を推定するが、さらに毎日の個人毎の全体着衣量を推定することにより、各個人の嗜好(暑がり、寒がり)などを把握して空調制御に活用することも可能である。
（Ｆ）
また、第１実施形態の空調システム１は、空調空間の内外における室内外環境の履歴に関する室内外環境履歴情報と着衣量の履歴に関する着衣量履歴情報とを記憶し、室内外環境履歴情報および着衣量履歴情報に基づいて、着衣量を有する人の体調に関する情報を管理する機能をさらに有してもよい。
【００５５】
この場合、日々の全身または部位ごとの着衣量を推定し、推定された着衣量をその時の室内外環境と関連づけて、それぞれの履歴情報を記憶することにより、ある日の室内外環境から判断すれば、これまでその個人が取り得る着衣量と異なる着衣量であった場合に体調の変化があると推定することが、空調システム１によって可能になる。例えば、ある人のこれまでの着衣量履歴では、室内の気温がＴ℃の時は着衣量がＹだったのに対し、ある日における着衣量が同じＴ℃の時でもＹ＋αである時には、その人は寒気を感じていると推定される。これによって、通常の全体着衣量の傾向と日々の全体着衣量の傾向とを比較することで、毎日の体調を把握することも可能である。
【００５６】
（Ｇ）
さらに、第１実施形態の空調システム１は、全体着衣量推定部５によって、個人ごとの全体着衣量を推定するが、さらに現時点における着衣量を変更することによる省エネルギー効果を推定し、省エネルギー効果がある場合に空調設備Ａの設定条件および省エネルギーに関する情報を提供する機能をさらに有してもよい。例えば、現状の全体着衣量を変更することで空調設備Ａの空調負荷を下げて消費電力を低減できる場合は、着衣量を変更するように指示するための指示情報とともに空調設備Ａの設定条件および省エネルギーに関する情報を、空調空間内部に設置されたパソコンのモニタ画面等に表示するなどして、空調空間内の人に伝達するようにしてもよい。
【００５７】
（Ｈ）
また、第１実施形態の空調システム１は、全体着衣量推定部５によって、個人ごとの全体着衣量を推定するが、変形例として、全体着衣量推定部５が部位ごとの着衣量を推定し、快適性指標算出部６が部位ごとの着衣量に基づいて快適性指標を算出し、空調制御部７が快適性指標が最適値になるように、空調設備の制御を行うようにしてもよい。これにより、部位に最適になるような空調制御をすることが可能になる。
【００５８】
この場合、全体着衣量推定部５は、上半身に関する上半身着衣量と下半身に関する下半身着衣量を個別に推定することが可能である。したがって、空調システム１は、例えば冷房シーズンは下半身の冷えすぎを防止するために下半身着衣量を用いてＰＭＶ値に基づく空調制御を行うことも可能である。その結果、従来の空調システムで生じる冷房時における足元の過度の寒さや暖房時における頭ののぼせなどの不具合を防止することができる。
また、空調システム１は、上半身や下半身以外にもさらに細かい領域または部位を指定して部位毎の着衣量を推定して、それぞれの部位に最適になるような空調制御をすることが可能である。
【００５９】
〔第２実施形態〕
第２実施形態の空調システムは、第１実施形態の空調システム１（図１参照）の構成要素（コントローラ２、無線ＩＣタグ３、無線ＩＣタグ情報読み取り部４、各種情報検知部８、および空調設備１００）をすべて含み、且つ、図４に示される第１着衣量データベース１４をさらに備えた構成を有している。
【００６０】
無線ＩＣタグ３には、取り付けられる衣服それぞれの単品の種別に関する衣服種別情報が記憶されている。衣服種別情報は、衣服それぞれの製造業者によって無線ＩＣタグ３に記憶される。衣服種別情報は、例えば、衣服の種類や素材（材質）などに関する情報からなり、具体的には、「ワイシャツ」、「長袖」、「Ｍサイズ」、「白色」、「綿１００％」などの情報を含む。
【００６１】
図４に示されるように、第１着衣量データベース１４は、衣服それぞれの単品に関する単品着衣量であって、衣服の種別に対応した単品着衣量を記憶するデータベースである。第１着衣量データベース１４は、全体着衣量推定部５に対して、相互に情報伝達できるように接続されている。第１着衣量データベース１４は、衣服それぞれの製造業者によって管理されている。
以上のように、第２実施形態の空調システムでは、衣服それぞれに取り付けられた無線ＩＣタグ３に衣服それぞれの単品の種別に関する衣服種別情報が記憶されている。衣服種別情報は、空調空間の内部または入口に設けられた無線ＩＣタグ情報読み取り部４によって読み取られる。衣服種別情報を受け取った全体着衣量推定部５は、衣服の種別に対応した単品着衣量を第１着衣量データベース１４から検索する。そののち、全体着衣量推定部５は、衣服の種別に対応した複数の単品着衣量に基づいて全体着衣量を推定する。快適性指標算出部６は、その全体着衣量に基づいて快適性指標を算出する。空調設備制御部７は、快適性指標が最適値になるように空調設備１００の制御を行うことにより、快適な空調を実現している。
【００６２】
＜着衣量推定方法の手順＞
つぎに、図４および図５を参照しながら、第２実施形態における無線ＩＣタグ３の衣服種別情報から全体着衣量を推定する着衣量推定方法を説明する。
【００６３】
まず、事前の段階として、図４に示されるように、衣服それぞれに取り付ける無線ＩＣタグ３に衣服種別情報が事前に記憶される。衣服種別情報は、衣服それぞれの製造業者等によって無線ＩＣタグ３に記憶される。衣服種別情報は、例えば、長袖シャツについては、「長袖シャツ」の種別の他に、「綿６０％」および「ウール４０％」などの素材に関する情報を含む。
【００６４】
図５のフローチャートに示されるように、ステップＳ１において、無線ＩＣタグ情報読み取り部４によって、個人の衣服それぞれの単品に関する衣服種別情報がすべて読み取られる。
ついで、ステップＳ２において、全体着衣量推定部５は、第１着衣量データベース１４から衣服の種別に対応する基本単品着衣量を取得する。例えば、標準的な長袖シャツとして、綿１００％の長袖シャツの場合、基本単品着衣量は０．２ｃｌｏである。
【００６５】
ついで、ステップＳ３において、全体着衣量推定部５は、第１着衣量データベース１４から衣服の素材に対応する着衣量補正値を取得する。例えば、ウールが４０％混在の場合には綿１００％における基本単品着衣量から着衣量が２０％増加するとして、着衣量補正値は、「１．２」に設定される。
そののち、ステップＳ４において、全体着衣量推定部５は、基本単品着衣量と着衣量補正値から、衣服の単品着衣量を推定する。例えば、長袖シャツについて、基本単品着衣量が０．２であり、且つ着衣量補正値が１．２の場合には、長袖シャツの単品着衣量は、０．２×１．２＝０．２４ｃｌｏとなる。
最後に、衣服の単品すべてについての補正された単品着衣量に関する情報から、全体着衣量推定部５によって、全体着衣量が推定される。
【００６６】
＜第２実施形態の特徴＞
（１）
第２実施形態の空調システム１では、無線ＩＣタグ３に衣服の種別からなる衣服関連情報が記憶されている。すなわち、第２実施形態では、快適性指標の演算に用いる指標の単位であるクロ値（○○ｃｌｏ)についての単品着衣量に関する情報を衣服の種別に応じて無線ＩＣタグ３に記憶する必要がなく、衣服の製造業者にとっても従来より衣服に取り付けていたタグに記載された製品仕様に関する衣服種別情報を無線ＩＣタグ３に記憶させるだけでよい。したがって、衣服の製造業者にとって、無線ＩＣタグ３に単品着衣量に関する情報を記憶させる労力を省くことが可能である。
【００６７】
（２）
第２実施形態の空調システム１は、衣服の種別に対応する単品着衣量を記憶する第１着衣量データベース１４を備えているので、衣服の種別に対応する単品着衣量に関する情報を集中して管理することが可能である。
【００６８】
〔第３実施形態〕
第３実施形態の空調システムは、第１実施形態の空調システム１（図１参照）の構成要素（コントローラ２、無線ＩＣタグ３、無線ＩＣタグ情報読み取り部４、各種情報検知部８、および空調設備１００）をすべて含み、且つ、図６に示される第２着衣量データベース１５、遠隔監視装置１６、および第３着衣量データベース１７をさらに備えた構成を有している。
無線ＩＣタグ３は、取り付けられる衣服それぞれの単品を識別するための衣服識別情報が記憶されている。衣服識別情報は、衣服それぞれの製造業者によって無線ＩＣタグ３に記憶される。衣服識別情報は、衣服の基本情報（インデックス）を含み、例えば、製造業者の名称、商品型番等が含まれる。
遠隔監視装置１６は、コントローラ２を介して空調設備１００を遠隔監視する。
【００６９】
図６に示されるように、第２着衣量データベース１５は、衣服それぞれの単品に関する単品着衣量であって、衣服識別情報に対応した単品着衣量を記憶するデータベースである。第２着衣量データベース１５は、遠隔監視装置１６を介して全体着衣量推定部５に対して相互に情報伝達できるように接続されている。第２着衣量データベース１５は、衣服それぞれの製造業者によって管理されている。
【００７０】
第３着衣量データベース１７は、遠隔監視装置１６に接続され、第２着衣量データベース１５から遠隔監視装置１６へ読み取られた単品着衣量情報を保存するデータベースである。第３着衣量データベース１７は、遠隔監視装置１６を所有する空調設備１００の管理業者によって管理されている。
以上のように、第３実施形態の空調システム１では、衣服それぞれに取り付けられた無線ＩＣタグ３に衣服それぞれの単品についての衣服識別情報が記憶されている。衣服識別情報は、空調空間の内部または入口に設けられた無線ＩＣタグ情報読み取り部４によって読み取られる。全体着衣量推定部５が衣服識別情報を受け取ったときに、遠隔監視装置１６は、衣服識別情報に対応した単品着衣量を第２着衣量データベース１５または第３着衣量データベース１７から検索する。そののち、全体着衣量推定部５は、衣服識別情報に対応した複数の単品着衣量に基づいて全体着衣量を推定する。快適性指標算出部６は、その全体着衣量に基づいて快適性指標を算出する。空調設備制御部７は、快適性指標が最適値になるように空調設備１００の制御を行うことにより、快適な空調を実現している。
【００７１】
＜着衣量推定方法の手順＞
つぎに、第３実施形態における無線ＩＣタグ３の衣服識別情報から全体着衣量を推定する着衣量推定方法を説明する。
まず、事前の段階として、図７に示されるように、衣服それぞれに取り付ける無線ＩＣタグ３に予め衣服識別情報が事前に記憶される。衣服識別情報は、衣服それぞれの製造業者等によって無線ＩＣタグ３に記憶される。衣服識別情報は、例えば、図６に示されるように、「ＸＸＸ（株）製」などの製造業者の名称と、「ＰＳ−Ｐ−Ｍ」などのインデックス情報を含む。
【００７２】
図７のフローチャートに示されるように、ステップＳ２１において、無線ＩＣタグ情報読み取り部４によって、個人の衣服それぞれの単品に関する衣服識別情報がすべて読み取られる。
ついで、ステップＳ２２において、遠隔監視装置１６は、衣服識別情報に対応する単品着衣量情報が第３着衣量データベース１７に存在するか判別する。対応する単品着衣量情報が存在しない場合にはステップＳ２３へ進み、対応する単品着衣量情報が存在する場合にはステップＳ２６へ進む。
【００７３】
ついで、ステップＳ２３において、遠隔監視装置１６は、第２着衣量データベース１５から衣服識別情報に対応する単品着衣量情報を取得する。
ついで、ステップＳ２４において、遠隔監視装置１６は、取得した単品着衣量情報をコントローラ２の全体着衣量推定部５へ送信する。取得された単品着衣量情報から、全体着衣量推定部５によって、全体着衣量が推定される。
【００７４】
そののち、ステップＳ２５において、遠隔監視装置１６は、取得した単品着衣量情報を第３着衣量データベース１７へ保存する。
一方、衣服識別情報に対応する単品着衣量情報が第３着衣量データベース１７に存在する場合には、ステップＳ２６において、遠隔監視装置１６は、第３着衣量データベース１７から衣服識別情報に対応する単品着衣量情報を取得する。そして、ステップＳ２７において、遠隔監視装置１６は、取得した単品着衣量情報をコントローラ２の全体着衣量推定部５へ送信する。最後に、衣服の単品すべてについての取得された単品着衣量情報から、全体着衣量推定部５によって、全体着衣量が推定される。
【００７５】
＜第３実施形態の特徴＞
（１）
第３実施形態の空調システム１では、無線ＩＣタグ３に衣服識別情報からなる衣服関連情報が記憶されている。すなわち、第３実施形態では、快適性指標の演算に用いる指標の単位であるクロ値（○○ｃｌｏ)についての単品着衣量に関する情報を衣服ごとに無線ＩＣタグ３に記憶する必要がなく、衣服の製造業者にとっても従来より商品の流通管理のために用いられていた衣服を識別するためのインデックス情報を無線ＩＣタグ３に記憶させるだけでよい。したがって、無線ＩＣタグ３に記憶する商品識別情報がそのまま利用できるため、衣服の製造業者にとって、無線ＩＣタグ３に単品着衣量に関する情報を記憶させる労力を省くことが可能である。
【００７６】
（２）
第３実施形態の空調システム１は、衣服識別情報に対応する単品着衣量を記憶する第２着衣量データベース１５を備えているので、衣服識別情報に対応する単品着衣量に関する情報を集中して管理することが可能である。
（３）
第３実施形態の空調システム１は、第２着衣量データベース１５から読み出した情報、または第２着衣量データベース１５からの読出し頻度の高い単品着衣量に関する情報を遠隔監視装置１６側で保持できるように第３着衣量データベース１７を備えている。したがって、オフィスなどでは在室者がある程度特定され、その在室者の着用する衣服もある程度同じ衣服であったり、またはそのローテーションであることが多いことから、遠隔監視装置１６側の第３着衣量データベース１７で単品着衣量を検索することによって、衣服の製造業者等が管理する外部の第２着衣量データベース１５を検索する頻度を少なくすることが可能となる。これによって、着衣量推定処理の高速化が可能になる。
【００７７】
＜変形例＞
（Ａ）
第３実施形態では、無線ＩＣタグ３から読み取られた衣服識別情報に基づいて、衣服の製造業者等が管理する外部の第２着衣量データベース１５から単品着衣量そのものを直接取得しているが、変形例として、衣服識別情報に基づいて外部のデータベースから衣服種別情報を取得し、そののち衣服種別情報に基づいて単品着衣量を外部のデータベース（またはコントローラ２あるいは遠隔監視装置１６に内蔵されたデータベース）から取得するようにしてもよい。
【００７８】
（Ｂ）
第３実施形態の空調システム１では、第２着衣量データベース１５から読み取られた単品着衣量の情報を保持するための第３着衣量データベース１７が遠隔監視装置１６に接続されているが、本発明はこれに限定されるものではなく、第３着衣量データベース１７をコントローラ２に内蔵してもよい。この場合、全体着衣量推定部５が第３着衣量データベース１７にアクセスするための所要時間をさらに短縮することができるので、着衣量推定処理のさらなる高速化が可能になる。
【００７９】
（Ｃ）
なお、第３実施形態の空調システム１では、第２着衣量データベース１５から読み取られた単品着衣量の情報を保持するための第３着衣量データベース１７を備えているが、本発明はこれに限定されるものではなく、第３着衣量データベース１７を省略してもよい。
【００８０】
〔第４実施形態〕
第４実施形態の空調システムは、第１実施形態の空調システム１（図１参照）の構成要素（コントローラ２、無線ＩＣタグ３、無線ＩＣタグ情報読み取り部４、各種情報検知部８、および空調設備１００）をすべて含み、且つ、図８に示される入退室検知部１８をさらに備えた構成を有している。また、図８に示されるように、事務所などの空調空間Ｒの出入り口Ｅに無線ＩＣタグ情報読み取り部４および入退室検知部１８が設置されている。
無線ＩＣタグ３は、衣服それぞれの単品に取り付けられている。無線ＩＣタグ３には、単品着衣量などの衣服関連情報が記憶されている。
無線ＩＣタグ情報読み取り部４は、出入り口Ｅを通過する人の衣服に取り付けられた無線ＩＣタグ３から単品着衣量などの衣服関連情報を読み取る。無線ＩＣタグ情報読み取り部４は、無線信号を用いて、非接触の状態で無線ＩＣタグ３から衣服関連情報を読み取ることができる。無線ＩＣタグ情報読み取り部４は、コントローラ２に接続されている。
入退室検知部１８は、出入り口Ｅを通過する人の衣服に取り付けられた無線ＩＣタグ３の移動方向を検知することによって、出入り口Ｅを通過する人が入室または退室するかを検知することができる。
【００８１】
＜入退室に基づいた空調制御の手順＞
つぎに、図９のフローチャートを参照しながら、第４実施形態における入退室に基づいた空調制御の手順を説明する。
【００８２】
まず、ステップＳ３１において、無線ＩＣタグ情報読み取り部４は、出入り口Ｅを通過する人の衣服に取り付けられた無線ＩＣタグ３から、単品着衣量などの衣服関連情報を読み取る。
ついで、ステップＳ３２において、コントローラ２の全体着衣量推定部５（図１参照）は、入退室者すべての全体着衣量を推定する。
【００８３】
ついで、ステップＳ３３において、入退室検知部１８は、出入り口Ｅを通過する人の衣服に取り付けられた無線ＩＣタグ３の移動方向に基づいて、入室または退室のどちらであるかを検知する。入室であると検知した場合にはステップＳ３４に進み、退室であると検知した場合にはステップＳ３５に進む。
ステップＳ３４では、全体着衣量推定部５は、各在室者の全体着衣量に入室者の全体着衣量も追加して、現時点において空調空間Ｒに居るすべての人の全体着衣量の平均値を算出して、空調空間１００の平均全体着衣量を推定する。
一方、ステップＳ３５では、全体着衣量推定部５は、各在室者の全体着衣量に退室者の全体着衣量を除去して、現時点において空調空間Ｒに居るすべての人の全体着衣量の平均値を算出して、空調空間１００の平均全体着衣量を推定する。
ついで、ステップＳ３６では、コントローラ２の快適性指標算出部６（図１参照）は、平均全体着衣量に基づいて快適性指標を算出する。
そののち、ステップＳ３７では、コントローラ２の空調設備制御部７（図１参照）は、快適性指標が最適値になるように空調設備１００の制御を行う。
【００８４】
＜第４実施形態の特徴＞
（１）
第４実施形態の空調システムは、空調空間Ｒの出入り口Ｅに設置された無線ＩＣタグ情報読み取り部４および入退室検知部１８を備えているので、空調空間Ｒを出入りする人のそれぞれの全体着衣量を確実に推定することが可能である。しかも、空調空間Ｒの全体で快適制御を実施している場合に、現時点における在室者全員の全体着衣量に基づいて平均全体着衣量を容易に推定することが可能である。したがって、現時点における在室者全員にとって快適な空調を提供することが可能になる。
【００８５】
〔第５実施形態〕
第５実施形態の空調システムは、図１０に示されるように、在室者が着席する近辺に無線ＩＣタグ情報読み取り部４を設置した方式を採用した空調システムである。第５実施形態の空調システムは、第１実施形態の空調システム１（図１参照）の構成と共通しており、すなわち、空調制御用のコントローラ２と、無線ＩＣタグ３と、無線ＩＣタグ情報読み取り部４と、各種情報検知部８と、空調設備１００とを備えている。
【００８６】
図１０に示されるように、パーソナル空調を実施するためのパーソナル空間内部に、無線ＩＣタグ情報読み取り部４が設置される。無線ＩＣタグ情報読み取り部４は、在室者が着席する近辺の任意の位置、例えば、椅子またはパーティションＰＴなどに設置される。
また、空調設備１００は、パーソナル空調のために、パーソナル空間内にそれぞれ少なくとも１台設置される。
【００８７】
パーソナル空間内部に設置された無線ＩＣタグ情報読み取り部４は、パーソナル空間内に人が入ったのち、常時又は定期的に無線ＩＣタグ３の衣服関連情報を読み取り、コントローラ２の内部の全体着衣量推定部５（図１参照）に送信する。全体着衣量推定部５では、全体着衣情報に変化があった場合に全体着衣量の推定を行う。
＜パーソナル空間における空調制御の手順＞
以下、図１１のフローチャートを参照しながら、第５実施形態におけるパーソナル空間における空調制御の手順を説明する。
【００８８】
まず、ステップＳ４１において、コントローラ２の快適性指標算出部６（図１参照）は、前回の手順で更新された全体着衣量または全体着衣量のデフォルト値に基づいて、快適性指標（ＰＭＶ値）を算出する。
ついで、ステップＳ４２において、コントローラ２の空調設備制御部７は、快適性指標が最適値（ＰＭＶ＝０）になるように、パーソナル空間内の空調設備１００を制御する。
【００８９】
ついで、ステップＳ４３において、無線ＩＣタグ情報読み取り部４は、常時または定期的にパーソナル空間内の人の衣服それぞれの単品に取り付けられた無線ＩＣタグ３から単品着衣量などの衣服関連情報を読み取る。
ついで、ステップＳ４４において、全体着衣量推定部５は、衣服関連情報に基づいて、全体着衣量の推定をする。
【００９０】
ついで、ステップＳ４５において、全体着衣量推定部５は、パーソナル空間内の人が衣服を脱ぐ、または着ることによって全体着衣量が変化したかを検知する。
全体着衣量が変化した場合（ステップＳ４５においてＹｅｓの場合）には、ステップＳ４６において、全体着衣量推定部５は、衣服関連情報に基づいて、変化後の全体着衣量をさらに推定し、全体着衣量を更新する。その後、ステップＳ４１に戻る。
全体着衣量が変化しない場合（ステップＳ４５においてＮｏの場合）には、全体着衣量を更新せずにステップＳ４１に戻る。
【００９１】
＜第５実施形態の特徴＞
（１）
第５実施形態の空調システムでは、入室後、全体着衣量が変化した場合(例えば、セーターを１枚脱いだり、着たりした場合)も、変化後の全体着衣量を検出することが可能となり、変化後の全体着衣量を更新することによって快適な空調制御のための精度がさらに向上する。
【００９２】
＜変形例＞
第５実施形態の空調システムは、パーソナル空調を実施するように構成されているが、本発明はこれに限定されるものではなく、パーソナル空調を実施していない場合でも、空調空間Ｒの内部に設置された複数の無線ＩＣタグ情報読み取り部４によって、無線ＩＣタグ３から常時または定期的に衣服関連情報を収集し、複数の衣服関連情報からそれぞれの人の全体着衣量を推定し、さらにすべての人の全体着衣量に基づいて、空調空間１００全体における平均全体着衣量を決定してもよい。
【００９３】
〔第６実施形態〕
上記の第１実施形態から第５実施形態における空調システムでは、空調空間に設置された無線ＩＣタグ情報読み取り部４によって、無線ＩＣタグ３から衣服関連情報を読み取っているが、図１２に示されるような個人の携帯する携帯電話２１などの携帯端末を用いて読み取ってもよい。第６実施形態の空調システムは、その他の点では、第１実施形態の空調システム１（図１参照）の構成と共通しており、すなわち、空調制御用のコントローラ２と、無線ＩＣタグ３と、無線ＩＣタグ情報読み取り部１９と、各種情報検知部８と、空調設備１００とを備えている。
【００９４】
図１２に示される携帯電話２１は、無線ＩＣタグ情報読み取り部１９と、第１送信部２０とを備えている。携帯電話２１は、通常の携帯電話の有する通話機能その他の機能も有する。
無線ＩＣタグ情報読み取り部１９は、空調空間Ｒに居る人が着用する衣服それぞれの単品に取り付けられた無線ＩＣタグ３から単品着衣量などの衣服関連情報を読み取る。
【００９５】
第１送信部２０は、衣服関連情報を、コントローラ２に接続された受信部２２へ直接送信する。第１送信部２０の通信方式は、空調空間Ｒの内部またはその近傍に設置された受信部２２と通信できる方式であればよく、例えば、赤外線通信、ブルートゥース（Bluetooh）、無線ＬＡＮなどの方式が採用される。
コントローラ２は、複数の衣服関連情報に基づいて衣服すべてに関する全体着衣量を推定する全体着衣量推定部５（図１参照）を有している。
【００９６】
図１２の携帯電話２１の無線ＩＣタグ情報読み取り部１９は、携帯電話２１の所有者が装着する衣服のそれぞれの単品に取り付けられた無線ＩＣタグ３から単品着衣量などの衣服関連情報を定期的に読み取る。さらに、携帯電話２１の第１送信部２０は、衣服関連情報をコントローラ２に接続された受信部２２へ直接送信する。受信部２２は、空調空間Ｒの内部の無線通信に適した位置に設置される。空調空間Ｒが複数有る場合には、受信部２２は、それぞれの空調空間Ｒに設置される。
【００９７】
これによって、コントローラ２の全体着衣量推定部５（図１参照）は、複数の衣服関連情報に基づいて衣服すべてに関する全体着衣量を推定することが可能になる。これにより、第６実施形態の空調システムも、上記実施形態の空調システムと同様に、全体着衣量に基づいて快適性指標を算出し、快適性指標が最適になるように空調設備１００の制御を行うことが可能になる。
【００９８】
＜第６実施形態の特徴＞
（１）
第６実施形態の空調システムでは、携帯電話２１が無線ＩＣタグ情報読み取り部１９および第１送信部２０を備えているので、無線ＩＣタグ３から読み取った衣服関連情報を受信部２２を介してコントローラ２の全体着衣量推定部５へ送信することが可能である。
【００９９】
（２）
また、第６実施形態の空調システムでは、携帯電話２１に最も近い受信部２２へ衣服関連情報を送信することが可能であるので、空調設備を制御するために、人の位置情報を取得する必要がない。
（３）
しかも、第６実施形態の空調システムでは、衣服関連情報を赤外線通信などで受信部２２へ送信することが可能であるので、携帯電話の通信に要する通信費がかからない。
【０１００】
＜変形例＞
（Ａ）
第６実施形態では、携帯端末の例として携帯電話２１を例にあげて説明しているが、本発明はこれに限定されるものではなく、携帯電話２１の代わりに他の携帯端末、例えばＰＤＡなどに無線ＩＣタグ情報読み取り部１９および第１送信部２０を設けてもよい。
【０１０１】
〔第７実施形態〕
上記の第６実施形態における空調システムでは、図１２に示される携帯電話２１から最寄りの受信部２２へ赤外線通信などで衣服関連情報を送信しているが、第７実施形態の空調システムでは、図１３に示される携帯電話２５が基地局２６を経由して遠隔監視装置１６へ送信する方式を採用している。第７実施形態の空調システムは、その他の点では、第１実施形態の空調システム１（図１参照）の構成と共通しており、すなわち、空調制御用のコントローラ２と、無線ＩＣタグ３と、無線ＩＣタグ情報読み取り部２３と、各種情報検知部８と、空調設備１００とを備えている。
【０１０２】
図１３に示される携帯電話２５は、無線ＩＣタグ情報読み取り部２３と、第２送信部２４とを備えている。携帯電話２５は、通常の携帯電話の有する通話機能の他にＧＰＳ（全地球位置発見システム）の機能も有する。
無線ＩＣタグ情報読み取り部２３は、空調空間Ｒに居る人が着用する衣服それぞれの単品に取り付けられた無線ＩＣタグ３から単品着衣量などの衣服関連情報を読み取る。
【０１０３】
第２送信部２４は、衣服関連情報および人が居る位置に関する位置情報を基地局２６を経由して遠隔監視装置１６へ送信する。遠隔監視装置１６は、コントローラ２に接続されている。コントローラ２は、複数の衣服関連情報に基づいて衣服すべてに関する全体着衣量を推定する全体着衣量推定部５（図１参照）を有している。位置情報は、携帯電話２５のＧＰＳ機能により生成される。
【０１０４】
図１３の携帯電話２５の無線ＩＣタグ情報読み取り部２３は、携帯電話２５の所有者が装着する衣服のそれぞれの単品に取り付けられた無線ＩＣタグ３から単品着衣量などの衣服関連情報を定期的に読み取る。さらに、携帯電話２５の第２送信部２４は、衣服関連情報および位置情報を、コントローラ２に接続された遠隔監視装置１６へ基地局２６を経由して送信する。遠隔監視装置１６は、位置情報に対応するコントローラ２へ、衣服関連情報を送信する。
【０１０５】
これによって、コントローラ２の全体着衣量推定部５（図１参照）は、複数の衣服関連情報に基づいて衣服すべてに関する全体着衣量を推定することが可能になる。これにより、第７実施形態の空調システムも、上記実施形態の空調システムと同様に、全体着衣量に基づいて快適性指標を算出し、快適性指標が最適になるように空調設備１００の制御を行うことが可能になる。
【０１０６】
＜第７実施形態の特徴＞
（１）
第７実施形態の空調システムでは、携帯電話２５が無線ＩＣタグ情報読み取り部２３および第２送信部２４を備えているので、無線ＩＣタグ３から読み取った衣服関連情報を位置情報とともに遠隔監視装置１６へ送信し、遠隔監視装置１６によって、位置情報に対応するコントローラ２の全体着衣量推定部５へ送信することが可能である。
（２）
また、第７実施形態の空調システムでは、遠隔監視装置１６へ衣服関連情報を送信することが可能であるので、空調空間Ｒの内部に衣服関連情報を受信するための受信部を個別に設ける必要がない。
【産業上の利用可能性】
【０１０７】
以上の実施形態に説明した空調制御では、快適性指標としてPMVを用いているが、本発明の空調システムおよび空調制御方法は、着衣量情報を用いるその他の快適性指標を用いた空調制御においても適応可能である。例えば、着衣量情報を用いるその他の快適性指標として、新有効温度(new effctive temperature ET)などの快適性指標を用いた空調制御についても、本発明の空調システムおよび空調制御方法を適用することが可能である。
【図面の簡単な説明】
【０１０８】
【図１】本発明の第１実施形態に係わる空調システムのブロック図。
【図２】本発明の第１実施形態に係わる着衣量推定方法の説明図。
【図３】快適性指標と不満足者率との関係を示すグラフ。
【図４】本発明の第２実施形態に係わる着衣量推定方法の説明図。
【図５】本発明の第２実施形態に係わる着衣量推定方法の手順を示すフローチャート。
【図６】本発明の第３実施形態に係わる着衣量推定方法の説明図。
【図７】本発明の第３実施形態に係わる着衣量推定方法の手順を示すフローチャート。
【図８】本発明の第４実施形態に係わる空調システムの構成図。
【図９】本発明の第４実施形態に係わる空調制御方法の手順を示すフローチャート。
【図１０】本発明の第５実施形態に係わる空調システムの構成図。
【図１１】本発明の第５実施形態に係わる着衣量推定方法の手順を示すフローチャート。
【図１２】本発明の第６実施形態に係わる空調システムの構成図。
【図１３】本発明の第７実施形態に係わる空調システムの構成図。
【符号の説明】
【０１０９】
１  空調システム
２  コントローラ
３  無線ＩＣタグ
４  無線ＩＣタグ情報読み取り部
５  全体着衣量推定部
６  快適性指標算出部
７  空調設備制御部
８  各種情報検知部
１４  第１着衣量データベース
１５  第２着衣量データベース
１６  遠隔監視装置
１７  第３着衣量データベース
１９  無線ＩＣタグ情報読み取り部
２０  第１送信部
２１  携帯電話
２３  無線ＩＣタグ情報読み取り部
２４  第２送信部
２５  携帯電話
【図１】
2006349240.tif 000003
【図２】
2006349240.tif 000004
【図３】
2006349240.tif 000005
【図４】
2006349240.tif 000006
【図５】
2006349240.tif 000007
【図６】
2006349240.tif 000008
【図７】
2006349240.tif 000009
【図８】
2006349240.tif 000010
【図９】
2006349240.tif 000011
【図１０】
2006349240.tif 000012
【図１１】
2006349240.tif 000013
【図１２】
2006349240.tif 000014
【図１３】
2006349240.tif 000015